(57)【特許請求の範囲】
【請求項１】
嵌め殺し障子の左右の縦框外周面に室内方向に突出して取付けた障子側金具と、嵌め殺し障子を固定するサッシ枠の左右の縦枠内周面に取付けた枠側金具と、嵌め殺し障子の室内側面とサッシ枠の室外側面の少なくとも一方に取り付けたタイト材とを備え、
枠側金具は縦断面略コ字形状であって、開口部先端を縦枠内周面に当接させてあり、コ字断面内側で固定した上側ガイドねじと下側ガイドねじとを有し、且つサッシ枠の内周側からコ字断面内側に螺入する引寄せねじを有し、
障子側金具は、下部に下方に開放する欠除部と、欠除部よりも室内側に位置し、上下寸法が上下のガイドねじ内側寸法より僅かに小さい室内側部とを有し、内周側ほど室内側にある斜面部と、斜面部の室外側下方に位置する上方移動規制部とを室内側部に設けたものであり、
室内側部を上下のガイドねじの間から室内側に挿入して欠除部の上縁を下側ガイドねじに載置しており、
引寄せねじの先端が障子側金具の斜面部を押圧して嵌め殺し障子を室内側に引き寄せてタイト材を他方に当接してあるとともに引寄せねじの先端が上方移動規制部の上方に位置して嵌め殺し障子の上方への移動を規制していることを特徴とする嵌め殺しサッシ。
【発明の詳細な説明】
【技術分野】
【０００１】
本発明は、嵌め殺し障子等を建築物開口部に固定した嵌め殺しサッシに関する。
【背景技術】
【０００２】
建築物の開口部に設ける嵌め殺し窓において、嵌め殺し障子を枠に固定するサッシは、嵌め殺し障子を枠に水密及び気密に固定する必要があるとともに、交換や保守点検のために取り外しが必要となる場合がある。
特開２００１−２１４６７１号公報には、嵌め殺し障子を斜めにして枠内の斜め方向上方に移動し、その後に嵌め殺し障子の側縁部及び下端部を枠に係止する嵌め殺し障子の枠への固定技術を開示するが、嵌め殺し障子を枠内に斜め上方に移動させてから下に下げるようにして嵌め込むために嵌め殺し障子を下げる際にタイト材を下側に巻き込む恐れがあり、水密性等が確保できない場合があった。
【０００３】
【特許文献１】特開２００１−２１４６７１号公報
【発明の開示】
【発明が解決しようとする課題】
【０００４】
本発明は、上記技術的課題に鑑みて、嵌め殺し障子をサッシ枠に固定する際の取付け、取外し作業が容易で水密性、気密性に優れた嵌め殺しサッシの提供を目的とする。
【課題を解決するための手段】
【０００５】
本発明に係る嵌め殺しサッシは、嵌め殺し障子の左右の縦框外周面に室内方向に突出して取付けた障子側金具と、嵌め殺し障子を固定するサッシ枠の左右の縦枠内周面に取付けた枠側金具と、嵌め殺し障子の室内側面とサッシ枠の室外側面の少なくとも一方に取り付けたタイト材とを備え、枠側金具は縦断面略コ字形状であって、開口部先端を縦枠内周面に当接させてあり、コ字断面内側で固定した上側ガイドねじと下側ガイドねじとを有し、且つサッシ枠の内周側からコ字断面内側に螺入する引寄せねじを有し、障子側金具は、下部に下方に開放する欠除部と、欠除部よりも室内側に位置し、上下寸法が上下のガイドねじ内側寸法より僅かに小さい室内側部とを有し、内周側ほど室内側にある斜面部と、斜面部の室外側下方に位置する上方移動規制部とを室内側部に設けたものであり、室内側部を上下のガイドねじの間から室内側に挿入して欠除部の上縁を下側ガイドねじに載置しており、引寄せねじの先端が障子側金具の斜面部を押圧して嵌め殺し障子を室内側に引き寄せてタイト材を他方に当接してあるとともに引寄せねじの先端が上方移動規制部の上方に位置して嵌め殺し障子の上方への移動を規制していることを特徴とする。
【発明の効果】
【０００６】
本発明に係る嵌め殺しサッシにおいては、縦断面略コ字形状の枠側金具を上下２箇所のガイドねじで縦枠の内周面に取り付けるともに、嵌め殺し障子の縦框に取付けた障子側金具に下部に下方に開放する欠除部と、欠除部よりも室内側に位置し上下寸法が上下のガイドねじ内側寸法より僅かに小さい室内側部を設けたので、嵌め殺し障子をガイドねじに沿わせて室内側に真直ぐに移動でき、欠除部の上縁を下側ガイドねじの上側に載置することで、仮置きできるので取付作業性が良い。
また、嵌め殺し障子をサッシ枠側の上下のガイドねじの間に沿って概ね水平に挿入することになり、嵌め殺し障子とサッシ枠との間のタイト材がめくれたり、ねじれたりすることを防止する。
内周側ほど室内側にある斜面部と、斜面部の室外側下方に位置する上方移動規制部とを室内側部に設けたので、引寄せねじをサッシ枠の内周側からコ字断面内側に向けて螺入すると、引寄せねじの先端が障子側金具の斜面部を押圧し、この斜面部に沿って嵌め殺し障子を室内側に引寄せることでタイト部のシール圧を確保でき、引寄せねじの先端が上方移動規制部の上方に位置する。
これにより、嵌め殺し障子の室内外方向及び左右の移動を規制でき、障子側金具の欠除部と下側ガイドねじとで下方向の移動を規制し、障子側金具の上方移動規制部と引寄せねじとで上方向の移動を規制するので、嵌め殺し障子をサッシ枠に確実に固定できる。
また、嵌め殺し障子をサッシ枠から取り外す場合にも嵌め殺し障子をサッシ枠に対して斜めにすることはないので、タイト材にねじれが生じたり、傷付きが生じるのを防止する。
【発明を実施するための最良の形態】
【０００７】
本発明に係る嵌め殺しサッシの実施例を図面に基づいて以下説明する。
図１に示すように本発明に係る嵌め殺しサッシ１は、建築物の開口部に取付けるサッシ枠３０と、このサッシ枠３０の内側に嵌め込み固定する嵌め殺し障子１０とからなる。
嵌め殺し障子１０は、上框１１と下框１４と左右の縦框１２、１３からなる矩形枠になっていて、枠内側にガラス等のパネル１５を嵌め殺し方式に装着した嵌め殺し障子になっている。
嵌め殺し障子１０の左右の縦框１２、１３の外周面には、それぞれ障子側金具２０をそのベース部に設けた取付孔２７にねじ等の固定部材２８にて取付け固定してある。
図１に示した実施例は、それぞれの縦框に対して上下２ヶ所に障子側金具２０を取付けてあるが、それぞれの縦框に対して１個以上であれば個数に制限はない。
【０００８】
サッシ枠３０は、上枠３１と下枠３４と左右の縦枠３２、３３からなる矩形枠になっていて、サッシ枠の内側（内周面）であって左右の縦枠に障子側金具２０に対応して枠側金具４０を取付けてある。
枠側金具４０は、縦断面略コ字形状をしていて、コ字形状内側に障子側金具２０を挿入できるようになっている。
枠側金具４０は、縦断面略コ字形状の開口部を縦枠３２、３３の内周面に当接させて上側ガイドねじ５１と下側ガイドねじ５２とで固定してある。
２本のねじを用いてコ字形状の内側で縦枠に固定したことにより金具固定用のねじが上側ガイドねじ５１と下側ガイドねじ５２になっている。
【０００９】
障子側金具２０の室内側先端に、障子側金具２０の上下寸法が枠側金具の上下のガイドねじ５１、５２の内側寸法より僅かに小さい室内側部２１を形成し、その室外側に先の上下のガイドねじ５１、５２の内側寸法より大きい規制部２２を設けるとともに、室内側部２１の下部に下方に開放した落し込み用の欠除部２３を形成してある。
また、障子側金具２０の室内側部２１には、図５に示すように、先端が内周側に傾斜して室内側を向く、即ち、内周側ほど室内側にある斜面部２４を設けるとともに、斜面部の下部から室外側方向に折り曲げて突出した斜面部の下方に位置する上方移動規制部２５を形成してある。
本実施例では、上方移動規制部２５を斜面部の下部を折り曲げて形成したが、斜面部を折り曲げなくても斜面部の下の室外側に突出したものがあればよい。
【００１０】
次に、嵌め殺し障子１０をサッシ枠３０に嵌め込み固定する方法を手順に沿って説明する。
サッシ枠３０を、図示省略したが躯体の開口部に固定した後に、図２及び図３に示すように室外側から嵌め殺し障子１０をサッシ枠３０の内側に嵌め込むように挿入する。
この場合に、枠側金具４０の縦断面コ字形状の内側に設けた上側ガイドねじ５１の下側に障子側金具２０の室内側部２１の上縁２６を沿わせるようにして、おおむね水平方向に嵌め殺し障子をサッシ枠内に挿入する。
従って、室内側部２１の上縁２６は水平であるのがよい。
図３に示すように、障子側金具２０の室内側部２１は、上下のガイドねじ５１、５２の内側寸法より上下寸法が僅かに小さくなっているので、障子側金具２０の室内側部２１は、上下ガイドねじ５１、５２の間に沿って室内側に概ね水平に移動するが、図４に示すように、障子側金具２０の室外側に有する規制部２２が下側ガイドねじ５２に突き当たり、嵌め殺し障子１０は規制部に沿って少し下がり落し込み用の欠除部２３が下側ガイドねじに載置することで仮置きできる。
従って嵌め殺し障子１０は、下方に開放する欠除部２３に落とし込んで係合するので外れなくなり、倒れこまない。
嵌め殺し障子１０を上下のガイドねじ５１、５２の間に沿って略水平に移動し、仮置きするので上枠３１、下枠３４の室外側面にそれぞれ取付けてあるタイト材３１ａ、３４ａと上框１１、下框１４の室内側のタイト材当接面１１ａ、１４ａとが当接する際に、タイト材にめくれや、ねじれが生じず、傷も付きにくい。
本実施例では、サッシ枠側にタイト材を設けてあるが、障子側に設けても良く、両方に設けても良い。
なお、左右の縦枠３２、３３に取付けたタイト材３２ａ、３３ａも左右の縦框１２、１３の当接面１２ａ、１３ａと当接するようになっている。
図４に示すように、上枠３１は下側下面が略フラットになっていて室外側面にタイト３１ｂを取付けてある。
嵌め殺し障子１０は上框外周側に立設した突条片１１ｂを有していて、上框外周側に立設した突条片１１ｂの室内側とタイト材３１ｂが当接シールする。
また、左右の縦枠３２、３３の室外側面にもタイト材３２ｂ、３３ｂを取付けて左右の縦框の外周突片１２ｂ、１３ｂの室内側とが当接するようになっている。
このようにサッシ枠の内側に略水平に嵌め殺し障子を嵌め込むことができ、雨水はタイト材３１ｂの上面から左右の縦框の外周側に流れ落ちるので止水性が高い。
【００１１】
次に、図４に示した嵌め殺し障子１０をサッシ枠３０に仮置きした状態で、サッシ枠３０の内側から引寄せねじ６０を左右の縦枠３２、３３の挿通孔３２ｃ、３３ｃを通して枠側金具４０のねじ穴４１に螺入する動きを図５の要部拡大図にて説明する。
図５は、上側ガイドねじ５１の下側で切断した断面図を示し、引寄せねじ６０の先端が障子側金具２０の斜面部２４の室外側に当たる。
この状態から、さらに引寄せねじ６０を締め込むと斜面部２４に沿って嵌め殺し障子１０を室内側に引き寄せ、障子側金具２０を障子外周側に押し付けるので障子の左右の縦框に取付けた障子側金具２０により左右方向のガタがなくなる。
また、嵌め殺し障子の前倒れを防止する。
このとき、タイト材の当たり寸法ｄ０がｄ１に縮まり、シール性を確保できる。
また、このとき図６に示すように障子金具２０の斜面部２４の下部から室外側に折り曲げた上方移動部２５を形成してあるので、寸法ｄ３だけ室内側に引き寄せ、引寄せねじ６０は上方移動部２５の上方に位置して嵌め殺し障子１０が浮き上がるのを防止し、嵌め殺し障子１０が下がる方向は下側ガイドねじ５２と欠除部２３の上縁で規制できる。
取り外しは、上記の逆の手順でできる。
このように、嵌め殺し障子１０を斜めに傾けることなく、引寄せねじ６０のみで、サッシ枠３０に着脱できるので、着脱作業が容易であるだけでなく、嵌め殺し障子とサッシ枠との間のタイト材を巻き込んだり、めくれたりすることを防止し、あるいはタイト材に傷を付けることを抑えることができ、水密性の信頼性が高い。
【図面の簡単な説明】
【００１２】
【図１】本発明に係る嵌め殺しサッシの実施例を示す。
【図２】サッシ枠に嵌め殺し障子を嵌め込む前の状態を示す。
【図３】嵌め殺し障子をサッシ枠のガイドねじに沿って挿入した状態を示す。
【図４】嵌め殺し障子をサッシ枠に仮置きした状態を示す。
【図５】金具に引寄せねじを螺入する状態を示す。
【図６】障子側金具と枠側金具の位置関係を示す。
【符号の説明】
【００１３】
１０    嵌め殺し障子
２０    障子側金具
２１    室内側部
２２    規制部
２３    欠除部
２４    斜面部
２５    上方移動規制部
３０    サッシ枠
４０    枠側金具
５１    上側ガイドねじ
５２    下側ガイドねじ
６０    引寄せねじ
【図１】
0004781152.tif 000002
【図２】
0004781152.tif 000003
【図３】
0004781152.tif 000004
【図４】
0004781152.tif 000005
【図５】
0004781152.tif 000006
【図６】
0004781152.tif 000007